(57)【特許請求の範囲】
【請求項１】
記録媒体に記録されている画像情報を読み出し、外部表示装置に出力する画像処理装置において、
前記記録媒体に記録されている複数の画像情報を読み出す読み出し手段と、
前記読み出し手段により読み出された前記複数の画像情報を一覧表示したメニュー画像を表示する表示手段と、
前記表示手段により表示された前記メニュー画像上の前記複数の画像情報の中から任意の画像情報を選択する選択手段と、
前記選択手段により選択された画像情報を表示のための画像として前記外部表示装置に出力する出力手段と、
前記選択手段により前記画像情報が選択されるのに応じて、前記表示手段に前記メニュー画像が表示されたままの状態を維持しつつ、選択された画像情報のみが前記出力手段により前記外部表示装置に出力されるように制御する制御手段と
を備えることを特徴とする画像処理装置。
【請求項２】
前記メニュー画像は、前記記録媒体に記録されている動画像の画像情報の中の１つの静止画より生成されたサムネイル画像を含む
ことを特徴とする請求項１に記載の画像処理装置。
【請求項３】
画像情報記録媒体に記録されている画像情報を読み出し、外部表示装置に出力する画像処理装置に、
前記画像情報記録媒体に記録されている複数の画像情報を読み出す読み出しステップと、
前記読み出しステップで読み出された前記複数の画像情報を一覧表示したメニュー画像を表示する表示ステップと、
前記表示ステップで表示された前記メニュー画像上の前記複数の画像情報の中から任意の画像情報を選択する選択ステップと、
前記選択ステップで選択された画像情報を表示のための画像として前記外部表示装置に出力する出力ステップと、
前記選択ステップにおいて前記画像情報が選択されるのに応じて、前記表示ステップにおいて表示された前記メニュー画像が表示されたままの状態を維持しつつ、選択された画像情報のみが前記出力ステップにおいて前記外部表示装置に出力されるように制御する制御ステップと
を含む処理を実行させるコンピュータが読み取り可能なプログラムが記録されていることを特徴とする記録媒体。
【発明の詳細な説明】
【０００１】
【発明の属する技術分野】
本発明は画像処理装置および記録媒体に閑し、特に、外部表示装置に画像情報を出力している間に、その画像情報とは異なる画像情報を表示部に表示できるように制御することにより、再生する動画像の確認、次に再生する動画像の選択、または再生する動画像の順序の指定などができるようにした画像処理装置および記録媒体に関する。
【０００２】
【従来の技術】
最近のデジタルカメラには、被写体を動画像として撮像し、その動画像を記録媒体に記録することができるものがある。このデジタルカメラにおいては、記録媒体に複数の画像が記録されている場合、そのいずれかを選択するためのメニューが表示部に表示される。このメニューには、各画像の代表画像がサムネイル画像として表示される。複数のサムネイル画像の中から１つのサムネイル画像が選択されると、選択されたサムネイル画像に対応する画像が記録媒体から読み出され、それまでのメニュー画像に代えて表示部に表示される。
【０００３】
デジタルカメラにテレビジョン受像機などの外部映像表示装置が接続されている場合、この選択された画像がテレビジョン受像機にも供給され、表示される。このようにして、ユーザは、記録媒体に記録されている複数の画像の中から所定のものを選択し、テレビジョン受像機の大きな画面で見ることができる。
【０００４】
【発明が解決しようとする課題】
しかしながら、従来のこのようなデジタルカメラにおいては、その表示部に表示されている画像と同一の画像が、外部映像表示装置としてのテレビジョン受像機に供給されるため、ユーザが、複数の画像を指定した順番で順次表示させようとすると、１つの画像の再生表示が終了する度に、画面をメニュー画面に切り替え、次に再生表示する画像を指定する操作を繰り返さなければならなかった。その結果、一緒に見ている者は、選択された画像だけでなく、メニュー画面も見ることになり、興ざめしてしまうことがあった。
【０００５】
本発明はこのような状況に鑑みてなされたものであり、外部映像表示装置に出力する画像とは別の画像を表示できるようにし、操作性を向上させるようにするものである。
【０００６】
【課題を解決するための手段】
請求項１に記載の画像処理装置は、記録媒体に記録されている画像情報を読み出し、外部表示装置に出力する画像処理装置において、記録媒体に記録されている複数の画像情報を読み出す読み出し手段と、読み出し手段により読み出された複数の画像情報を一覧表示したメニュー画像を表示する表示手段と、表示手段により表示されたメニュー画像上の複数の画像情報の中から任意の画像情報を選択する選択手段と、選択手段により選択された画像情報を表示のための画像として外部表示装置に出力する出力手段と、選択手段により画像情報が選択されるのに応じて、表示手段にメニュー画像が表示されたままの状態を維持しつつ、選択された画像情報のみが出力手段により外部表示装置に出力されるように制御する制御手段とを備えることを特徴とする。
【０００７】
請求項３に記載の記録媒体は、画像情報記録媒体に記録されている画像情報を読み出し、外部表示装置に出力する画像処理装置に、画像情報記録媒体に記録されている複数の画像情報を読み出す読み出しステップと、読み出しステップで読み出された複数の画像情報を一覧表示したメニュー画像を表示する表示ステップと、表示ステップで表示されたメニュー画像上の複数の画像情報の中から任意の画像情報を選択する選択ステップと、選択ステップで選択された画像情報を表示のための画像として外部表示装置に出力する出力ステップと、選択ステップにおいて画像情報が選択されるのに応じて、表示ステップにおいて表示されたメニュー画像が表示されたままの状態を維持しつつ、選択された画像情報のみが出力ステップにおいて外部表示装置に出力されるように制御する制御ステップとを含む処理を実行させるコンピュータが読み取り可能なプログラムが記録されていることを特徴とする。
【０００８】
請求項１に記載の画像処理装置においては、記録媒体に記録されている画像情報を読み出し、外部表示装置に出力する画像処理装置において、読み出し手段が、記録媒体に記録されている複数の画像情報を読み出し、表示手段が、読み出し手段により読み出された複数の画像情報を一覧表示したメニュー画像を表示する。選択手段が、表示手段により表示されたメニュー画像上の複数の画像情報の中から任意の画像情報を選択すると、制御手段が、選択手段により画像情報が選択されるのに応じて、表示手段にメニュー画像が表示されたままの状態を維持しつつ、選択された画像情報のみが出力手段により外部表示装置に出力されるように制御する。
【０００９】
請求項３に記載の記録媒体においては、画像情報記録媒体に記録されている画像情報を読み出し、外部表示装置に出力する画像処理装置に、読み出しステップで、画像情報記録媒体に記録されている複数の画像情報を読み出し、表示ステップで、読み出しステップで読み出された複数の画像情報を一覧表示したメニュー画像を表示する。選択ステップで、表示ステップで表示されたメニュー画像上の複数の画像情報の中から任意の画像情報を選択すると、制御ステップで、選択ステップにおいて画像情報が選択されるのに応じて、表示ステップにおいて表示されたメニュー画像が表示されたままの状態を維持しつつ、選択された画像情報のみが出力ステップにおいて外部表示装置に出力されるように制御する。
【００１０】
【発明の実施の形態】
以下に本発明の実施の形態を説明するが、特許請求の範囲に記載の発明の各手段と以下の実施の形態との対応関係を明らかにするために、各手段の後の括弧内に、対応する実施の形態（但し一例）を付加して本発明の特徴を記述すると、次のようになる。但し勿論この記載は、各手段を記載したものに限定することを意味するものではない。
【００１１】
請求項１に記載の情報処理装置は、記録媒体に記録されている画像情報を読み出し、外部表示装置に出力する画像処理装置において、記録媒体に記録されている複数の画像情報を読み出す読み出し手段（例えば、図３のステップＳ１５）と、読み出し手段により読み出された複数の画像情報を一覧表示したメニュー画像を表示する表示手段（例えば、図３のステップＳ２０）と、表示手段により表示されたメニュー画像上の複数の画像情報の中から任意の画像情報を選択する選択手段（例えば、図４のステップＳ２５）と、選択手段により選択された画像情報を表示のための画像として外部表示装置に出力する出力手段（例えば、図４のステップＳ２８）と、選択手段により画像情報が選択されるのに応じて、表示手段にメニュー画像が表示されたままの状態を維持しつつ、選択された画像情報のみが出力手段により外部表示装置に出力されるように制御する制御手段（例えば、図４のステップＳ２７）とを備えることを特徴とする。
【００１２】
図１は、本発明を適用したビデオ装置１の外観の構成を示す図である。ビデオ装置１の前面には、撮像部２３（図２）が設けられている。また、ビデオ装置１の側面には、ランダムアクセス可能な記録媒体である光ディスク２６が挿入されるディスクスロット３が設けられている。ビデオ装置１の後部には、液晶ディスプレイ（LCD）４が設けられている。LCD４上には、タッチパネル５が張り合わされている。タッチパネル５は、透明な素材で構成された電極を有し、LCD４の画像をユーザが視認できるようになされているとともに、ユーザが指などで押圧した位置を検出する。スクロールキー６は、LCD４上に表示される画像をスクロールするとき操作される。レリーズボタン７は、撮像を行うとき操作される。モード切替ボタン８は、出力独立モードを設定するか、または解除するとき操作され、メニュー表示ボタン９は、LCD４にメニュー画面を表示させるとき、または、既に表示されているメニュー画面を消去するとき操作される。また、この例では、ビデオ装置１に、ビデオモニタ４０が接続されている。
【００１３】
図２は、図１のビデオ装置１の内部の構成例を示すブロック図である。MPU（Micro Processing Unit）２１は、システムプログラムを記憶する不図示のROM（Read Only Memory）を含み、データを処理するとともに、内部バス５１を介して各部を制御する。主記憶メモリ２２は、MPU２１より転送されたプログラムやデータを記億する半導体メモリである。画像処理部２４は、撮像部２３より出力された画像信号をディジタル化した後に、圧縮する。
【００１４】
記録再生部２５は、交換可能な光ディスク２６が装着できるようになされている。記録再生部２５は、記録モードのとき、供給される動画像データを光ディスク２６に記録し、再生モードのとき、光ディスク２６に記録されている動画像データを再生する。
【００１５】
画像デコーダ２７は、供給された画像データをデコード（伸長）して画像コントローラ２８に出力する。画像コントローラ２８は、供給された画像データを、D/A変換部２９またはLCD４に供給する。
【００１６】
D/A変換部２９は、画像データをディジタルデータからアナログデータに変換し、出力端子３０を介してそこに接続されているビデオモニタ４０に出力する。
【００１７】
入力部３１は、タッチパネル５、スクロールキー６、レリーズボタン７、モード切替ボタン８、およびメニュー表示ボタン９などにより構成される。
【００１８】
次に、図１のビデオ装置１の動作について、図３乃至図５のフローチャートを参照して説明する。ステップＳ１１において、MPU２１は、レリーズボタン７が操作されたか否かを判定する。レリーズボタン７が操作されたと判定された場合、ステップＳ１２において、MPU２１は、撮像部２３により被写体を撮像させ、対応する動画像データを、光ディスク２６に記録させて、ステップＳ１１に戻る。
【００１９】
すなわち、ステップＳ１２において、撮像部２３は、被写体を撮像し、対応する動画像信号を画像処理部２４に出力する。画像処理部２４は、供給された動画像信号をディジタルデータに変換し、さらに所定の方式（例えば、JPEG方式）でエンコードする。MPU２１は、エンコードされた動画像データを内部バス５１を介して記録再生部２５に出力する。記録再生部２５は、供給された動画像データを光ディスク２６に記録する。このようにして、撮像部２３により撮像された動画像データは、光ディスク２６に記録される。
【００２０】
ステップＳ１１においてレリーズボタン７が操作されたと判定されなかった場合、ステップＳ１３において、MPU２１は、メニュー表示ボタン９がオンされたか否かを判定する。メニュー表示ボタン９がオンされていないと判定された場合、ステップＳ１１に戻り、それ以降の処理が繰り返される。
【００２１】
ステップＳ１３で、メニュー表示ボタン９がオンされたと判定された場合、ステップＳ１４に進み、MPU２１は、光ディスク２６に記録されている動画像データの中から１つの動画像データを選択する。そして、ステップＳ１５において、MPU２１は、選択した動画像データを画像デコーダ２７に供給し、デコードさせる。次いで、ステップＳ１６において、MPU２１は、デコードした動画像データからサムネイル画像データを生成する。その後、ステップＳ１７において、MPU２１は、生成したサムネイル画像データを主記憶メモリ２２に記憶させる。
【００２２】
ステップＳ１８において、MPU２１は、光ディスク２６に記憶されている全ての動画像データに対応するサムネイル画像データを生成したか否かを判定する。全ての動画像データに対応するサムネイル画像データがまだ生成されていないと判定された場合、ステップＳ１４に戻り、全てのサムネイル画像データが生成されたと判定されるまで、ステップＳ１４乃至ステップＳ１８の処理が繰り返し実行される。
【００２３】
ステップＳ１８において全ての動画像データに対応するサムネイル画像デー夕が生成されたと判定された場合、ステップＳ１９に進み、MPU２１は、主記憶メモリ２２に記憶されているサムネイル画像データの中から１つのサムネイル画像データを選択する。そして、ステップＳ２０において、MPU２１は、選択したサムネイル画像をLCD４に表示させる。すなわち、ステップＳ１９において選択されたサムネイル画像データは、内部バス５１を介して画像コントローラ２８に出力する。MPU２１は、画像コントローラ２８を制御し、そこに供給されたサムネイル画像データをLCD４に出力させる。LCD４は、供給されたサムネイル画像を表示する。このようにして、例えば、図６に示すように、主記憶メモリ２２に記憶されているサムネイル画像Ａが、メニュー画面の中の１つの画像として表示される。
【００２４】
ステップＳ２１において、MPU２１は、メニュー画面に表示されたサムネイル画像の数が最大値に達したか否かを判定する。メニュー画面のサムネイル画像の数が最大値に達していないと判定された場合、ステップＳ２２において、MPU２１は、主記憶メモリ２２に記憶されているサムネイル画像データのうち、まだ選択されていないサムネイル画像データが有るか否かを判定する。選択されていないサムネイル画像データが有ると判定された場合、ステップＳ１９に戻り、主記憶メモリ２２に記憶されているサムネイル画像データのうち、選択されていないサムネイル画像データが無いと判定されるまで、ステップＳ１９乃至ステップＳ２１の処理が繰り返し実行される。
【００２５】
ステップＳ２１においてメニュー画面のサムネイル画像の数が最大値に達したと判定された場合、または、ステップＳ２２において選択されていないサムネイル画像データが無い（全てのサムネイル画像データが選択された）と判定された場合、図４のステップＳ２３に進む。このとき、LCD４のメニュー画面には、例えば、図６に示すように、主記憶メモリ２２に記憶されているサムネイル画像が全てLCD４のメニュー画面に表示されるか、またはLCD４に表示可能な最大の数（図６の例の場合、９個）のサムネイル画像Ａ乃至Ｉが表示される。
【００２６】
ステップＳ２３において、MPU２１は、スクロールキー６が操作されたか否かを判定する。スクロールキー６が操作されたと判定された場合、ステップＳ２４において、MPU２１は、主記憶メモリ２２に記憶されているサムネイル画像データのうち、メニュー画面にまだ表示されていないサムネイル画像が有るか否かを判定する。メニュー画面に表示されていないサムネイル画像が有ると判定された場合、ステップＳ１９に戻り、上述したように、主記憶メモリ２２に記憶されているサムネイル画像のうち、メニュー画面に表示されていないサムネイル画像が無くなるまで、ステップＳ１９乃至ステップＳ２４の処理が繰り返し実行される。このようにして、ユーザによりスクロールキー６が操作された場合、主記憶メモリ２２に記憶されているサムネイル画像がメニュー画面に順次表示される。
【００２７】
ステップＳ２３で、スクロールキー６が操作されていないと判定された場合、または、ステップＳ２４において、メニュー画面に表示されていないサムネイル画像が無いと判定された場合、ステップＳ２５に進む。
【００２８】
ステップＳ２５において、MPU２１は、メニュー画面に表示されているサムネイル画像がタッチパネル５を介して選択されたか否かを判定する。サムネイル画像が選択されていないと判定された場合、ステップＳ２６において、メニュー表示ボタン７がオンされたか否かが判定され、オンされていないと判定された場合、ステップＳ２３に戻り、それ以降の処理が繰り返される。メニュー表示ボタン７がオンされたと判定された場合、ステップＳ３４において、メニュー画面が消去される。その後、ステップＳ１１に戻り、それ以降の処理が実行される。
【００２９】
ステップＳ２５において、ユーザがタッチパネル５を操作することで、メニュー画面に表示されているサムネイル画像が選択されたと判定された場合、ステップＳ２７において、MPU２１は、出力独立モードが設定されているか否かを判定する。MPU２１は、出力独立モードが設定されていない状態でモード切替ボタン８が操作されたとき出力独立モードを設定し、出力独立モードが設定されている状態でモード切替ボタン８が操作されたとき、出力独立モードを解除する。出力独立モードが設定されている場合、画像データは、LCD４には出力されず、出力端子３０（ビデオモニタ４０）にのみ出力される。また、出力独立モードが設定されていない場合、画像データは、LCD４と出力端子３０（ビデオモニタ４０）の両方に出力される。そこで、ステップＳ２７において、いま、出力独立モードが設定されていると判定された場合、ステップＳ２８において、MPU２１は、選択されたサムネイル画像に対応する動画像を出力端子３０を介してビデオモニタ４０に出力させる。
【００３０】
すなわち、LCD４のメニュー画面上でサムネイル画像が選択されたことを示す信号は、タッチパネル５（入力部３１）よりMPU２１に出力される。このとき、MPU２１は、内部バス５１を介して記録再生部２５を制御し、選択されたサムネイル画像に対応する動画像データを光ディスク２６から読み出させ、内部バス５１を介して画像デコーダ２７に供給させる。画像デコーダ２７は、供給された動画像データをデコードし、画像コントローラ２８に出力する。画像コントローラ２８は、MPU２１により制御され、供給された動画像デー夕を、LCD４には出力せず、D/A変換部２９に出力する。D/A変換部２９は、供給された動画像データをディジタルデータからアナログデータに変換し、出力端子３０を介してビデオモニタ４０に出力する。このようにして、ビデオモニタ４０には、メニュー画面上で選択された動画像が表示される。例えば、図７に示すように、サムネイル画像Ｂが選択された場合、ビデオモニタ４０は、供給されたサムネイル画像Ｂに対応する動画像Ｂ’を表示する。このとき、LCD４は、メニュー画面が表示されたままの状態となっている。
【００３１】
ステップＳ２９において、MPU２１は、ビデオモニタ４０で動画像を再生中に、サムネイル画像がLCD４上で選択されたか否かを判定する。ビデオモニタ４０で動画像が再生されている間にLCD４上で、サムネイル画像が選択されたと判定された場合、ステップＳ３０において、MPU２１は、選択されたサムネイル画像のID（識別コード）を選択された順に記憶し、ステップＳ３１に進む。
【００３２】
すなわち、LCD４のメニュー画面上から特定のサムネイル画像が選択されたことを示す信号は、タッチパネル５（入力部３１）より内部バス５１を介してMPU２１に出力される。MPU２１は、供給された信号に対応する動画像データのIDを選択された順に主記憶メモリ２２に記憶させる。ステップＳ２９で、サムネイル画像が選択された場合、ステップＳ３０の処理はスキップされる。
【００３３】
ステップＳ３１において、MPU２１は、ビデオモニタ４０に表示中の動画像の再生が終了したか否かを判定する。動画像の再生がまだ終了していないと判定された場合、ステップＳ２９に戻り、動画像の再生が終了するまで、ステップＳ２９乃至ステップＳ３１の処理が繰り返し実行される。
【００３４】
動画像の再生が終了したとき、ステップＳ３２に進み、MPU２１は、再生終了した動画像のIDを主記憶メモリ２２から削除する。ステップＳ３３において、MPU２１は、主記憶メモリ２２にまだ動画像データのIDが記憶されているか否かを判定する。まだ、IDが記憶されていると判定された場合、ステップＳ２８に戻り、次に記憶されているサムネイル画像が選択されたサムネイル画像としてステップＳ２８乃至ステップＳ３２の処理が実行される。このようにして、主記憶メモリ２２に記憶されているIDの順番に、サムネイル画像に対応する動画像がビデオモニタ４０に再生表示される。例えば、図８に示すように、サムネイル画像が、Ｂ、Ｄ、Ｅ、Ｇの順に選択された場合、選択された順序で、ビデオモニタ４０に、Ｂ’、Ｄ’、Ｅ’、Ｆ’の順に動画像が再生表示される。
【００３５】
ステップＳ３３において、動画像データのIDが記憶されていないと判定された場合、ステップＳ２３に戻り、上述したように、ステップＳ２３乃至ステップＳ３３の処理が実行される。
【００３６】
ステップＳ２７において、MPU２１は、いま、出力独立モードが設定されていないと判定した場合、図５のステップＳ３５において、選択されたサムネイル画像に対応する動画像を、ビデオモニタ４０とLCD４の両方に出力し、表示させる。
【００３７】
すなわち、LCD４のメニュー画面上でサムネイル画像が選択されたことを示す信号は、タッチパネル５（入力部３１）よりMPU２１に出力される。MPU２１は、記録再生部２５を制御し、供給された信号に対応する動画像データを光ディスク２６から読み出させ、内部バス５１を介して画像デコーダ２７に出力させる。画像デコーダ２７は、供給された動画像データをデコードし、画像コントローラ２８に出力する。MPU２１は、画像コントローラ２８を制御し、そこに供給された動画像データを、D/A変換部２９に出力させるとともに、LCD４にも出力させる。D/A変換部２９は、供給された動画像データをディジタルデータからアナログデータに変換し、出力端子３０を介してビデオモニタ４０に出力する。これにより、ビデオモニタ４０には、ユーザが選択したサムネイル画像に対応する動画像が表示され、LCD４にも、それまでのメニュー画面に代わって、供給された動画像が表示される。例えば、図９に示すように、サムネイル画像Ｂが選択された場合、ビデオモニタ４０およびLCD４の両方に動画像Ｂ’が表示される。
【００３８】
次に、MPU２１は、動画像の再生が終了するまで、ステップＳ３６で待機し、動画像の再生が終了したときと、ステップＳ３７において、LCD４上にメニュー画面を改めて表示させ、その後、ステップＳ２３に戻り、それ以降の処理を実行する。
【００３９】
以上のように、図１のビデオ装置１によれば、出力独立モードが設定された場合、動画像データをビデオモニタ４０に出力している間、画像コントローラ２８に供給された動画像をLCD４に出力しないようにしたので、動画像をビデオモニタ４０に再生表示している間に、ビデオモニタ４０に表示できる動画像の一覧の確認、ビデオモニタ４０に表示する動画像の選択、および表示する動画像の指定の選択を行うことができる。
【００４０】
以上においては、LCD４に、複数のサムネイル画像を（メニュー画面）または動画像を選択的に表示させたが、図１０（Ａ）に示すように、メニュー画面以外に、ビデオモニタ４０に表示している動画像も併せて表示させるようにしてもよい。このようにすれば、ビデオモニタ４０に表示している動画像の内容を常に確認することができる。
【００４１】
また、図１０（Ｂ）に示すように、LCD４に、複数のサムネイル画像以外に、撮像部２３で撮像されている動画像を表示させるようにしてもよい。このようにすれば、撮像部２３で撮像されている動画像を確認することができる。
【００４２】
さらに、図１０（Ｃ）に示すように、LCD４に、複数のサムネイル画像以外に、ビデオモニタ４０に再生している動画像、および撮像部２３で撮像されている動画像を表示させてもよい。このようにすれば、ビデオモニタ４０に表示している動画像と、撮像部２３で撮像されている動画像の両方を確認することができる。
【００４３】
また、図１１（Ａ）に示すように、LCD４に、サムネイル画像の代わりに、光ディスク２６に記録されている動画像の特徴を示す文字（その動画像を識別する文字）を表示させるようにしてもよい。また、動画像の特徴を示した文字以外に、図１１（Ｂ）に示すように、ビデオモニタ４０に表示している動画像、または、図１１（Ｃ）に示すように、撮像部２３で撮像されている動画像、または、図１１（Ｄ）に示すように、ビデオモニタ４０に表示している動画像と撮像部２３で撮像されている動画像の両方を表示させるようにしてもよい。
【００４４】
なお、図１のビデオ装置１においては、撮像部２３より撮像した動画像を光ディスク２６に記録し、記録した動画像を再生するようにしたが、ビデオ装置１に撮像部２３を設けず、他の装置で光ディスク２６に画像を記録させ、ビデオ装置１にこれを装着して画像を再生させるようにしてもよい。
【００４５】
また、以上においては、記録媒体として、光ディスク２６を用いたが、磁気ディスクまたは半導体メモリなどを用いてもよい。さらに、入力部３１としてのタッチパネル５の代わりに、マウスなどを用いてもよい。また、LCD４の代わりに、CRT（Cathode Ray Tube）を用いてもよい。
【００４６】
なお、上記したような処理を行うコンピュータプログラムをユーザに提供する記録媒体としては、磁気ディスク、CD-ROM、固体メモリなどの記録媒体の他、ネットワーク、衛星などの通信媒体を利用することができる。
【００４７】
【発明の効果】
以上のように、請求項１に記載の画像処理装置および請求項３に記載の記録媒体によれば、メニュー画像の中から画像情報が選択されるのに応じて、メニュー画像が表示されたままの状態を維持しつつ、選択された画像情報のみが外部表示装置に出力されるようにしたので、画像情報が出力されている間に、出力できる画像を確認したり、出力する画像を選択したりすることができ、操作性を向上することができる。
【図面の簡単な説明】
【図１】本発明を適用したビデオ装置の外観の構成例を示す図である。
【図２】図１のビデオ装置の内部の構成例を示すブロック図である。
【図３】図１のビデオ装置の動作を説明するフローチャートである。
【図４】図１のビデオ装置の動作を説明する他のフローチャートである。
【図５】図１のビデオ装置の動作を説明するさらに他のフローチャートである。
【図６】図１のLCD４上のメニュー画面を説明する図である。
【図７】図１のビデオ装置およびビデオモニタ４０における表示画像の関係を説明する図である。
【図８】図１のビデオ装置およびビデオモニタ４０における表示画像の関係を説明する他の図である。
【図９】図５のステップＳ３４の処理におけるLCD４上のメニュー画面およびビデオモニタの表示画面を説明する図である。
【図１０】図１のLCD４上の他のメニュー画面を説明する図である。
【図１１】図１のLCD４上のさらに他のメニュー画面を説明する図である。
【符号の説明】
３  ディスクスロット
４  LCD
５  タッチパネル
６  スクロールキー
７  リレーズボタン
８  モード切替ボタン
９  メニュー表示ボタン
２１  MPU
２２  主記憶メモリ
２３  撮像部
２４  画像処理部
２５  記録部
２６  光ディスク
２７  画像デコーダ
２８  画像コントローラ
２９  D/A変換部
３０  出力端子
３１  入力部
４０  ビデオモニタ
５１  内部バス
Ａ，Ｂ，Ｃ，Ｄ，Ｅ，Ｆ，Ｇ，Ｈ，Ｉ  サムネイル画像
Ｂ’，Ｄ’，Ｅ’，Ｇ’動画像
【図１】
0004785226.tif 000002
【図２】
0004785226.tif 000003
【図３】
0004785226.tif 000004
【図４】
0004785226.tif 000005
【図５】
0004785226.tif 000006
【図６】
0004785226.tif 000007
【図７】
0004785226.tif 000008
【図８】
0004785226.tif 000009
【図９】
0004785226.tif 000010
【図１０】
0004785226.tif 000011
【図１１】
0004785226.tif 000012